(57)【要約】【課題】所見に関わる情報の入力作業の効率化を図る。【解決手段】表示部１４は、所見入力画面と所見関連情報入力画面を表示する。所見入力画面としては、シェーマ図入力画面２０００がある。また、所見関連情報入力画面としては、オーダ情報入力画面３０００、サマリ情報画面４０００及び診療予定画面５０００がある。記憶部１２は、所見の入力事項と所見関連情報の入力事項とを対応付ける対応情報１２０を記憶している。オペレータが所見入力画面に所見を入力すると、制御部１１は、この所見の入力事項に対応する所見関連情報の入力事項を対応情報１２０に基づいて特定し、特定された入力事項を表示部１４に表示させる。【選択図】図１
2008250543.tif 000002
【特許請求の範囲】
【請求項１】
所見を入力するための所見入力画面と、所見に関連する所見関連情報を入力するための所見関連情報入力画面とを表示する表示手段と、
前記所見の入力事項と前記所見関連情報の入力事項とを対応付ける対応情報を記憶する記憶手段と、
操作手段と、
前記操作手段により前記所見入力画面に所見が入力されたときに、当該所見の入力事項に対応する所見関連情報の入力事項を前記対応情報に基づいて特定し、前記特定された入力事項を前記表示手段に表示させる制御手段と、
を備えることを特徴とする診療支援システム。
【請求項２】
前記制御手段は、前記表示された所見関連情報の入力事項に対して前記操作手段による操作がなされたときに、当該操作がなされた入力事項を前記所見関連情報入力画面に入力する、
ことを特徴とする請求項１に記載の診療支援システム。
【請求項３】
前記制御手段は、前記入力された所見の入力事項に対して前記所見関連情報の二以上の入力事項が関連付けられているときに、前記二以上の入力事項を前記表示手段に選択可能に表示させ、前記操作手段により前記二以上の入力事項のいずれかが指定されたときに、前記指定された入力事項を前記所見関連情報入力画面に入力する、
ことを特徴とする請求項２に記載の診療支援システム。
【請求項４】
前記制御手段は、所見の入力事項のリストを前記表示手段に表示させ、前記操作手段により前記リスト中の入力事項が指定されたときに、前記指定された入力事項を前記所見入力画面に入力する、
ことを特徴とする請求項１に記載の診療支援システム。
【請求項５】
前記所見はシェーマ図を含み、
前記記憶手段は、異なる複数のシェーマ図の下絵画像と、前記複数の下絵画像のそれぞれに対応する前記リストとを記憶し、
前記制御手段は、前記操作手段により前記複数の下絵画像のうちのいずれかが指定されたときに、該指定された下絵画像に対応するリストを前記表示手段に表示させる、
ことを特徴とする請求項４に記載の診療支援システム。
【請求項６】
前記所見関連情報は、診療報酬に反映されるコスト情報を含み、
前記所見関連情報入力画面は、前記コスト情報を入力するためのコスト情報入力画面を含み、
前記対応情報は、前記所見の入力事項と前記コスト情報の入力事項とを対応付け、
前記制御手段は、前記入力された所見の入力事項に対応するコスト情報の入力事項を前記対応情報に基づいて特定し、該特定された入力事項を前記表示手段に表示させる、
ことを特徴とする請求項１に記載の診療支援システム。
【請求項７】
前記所見関連情報は、傷病名を含み、
前記コスト情報入力画面には、傷病名を入力するための画面領域が設けられ、
前記対応情報は、前記所見の入力事項と前記傷病名とを対応付け、
前記制御手段は、前記入力された所見の入力情報に対応する傷病名を前記対応情報により特定し、該特定された傷病名を前記表示手段に表示させる、
ことを特徴とする請求項６に記載の診療支援システム。
【請求項８】
前記所見関連情報は、過去の診療情報を要約したサマリ情報を含み、
前記所見関連情報入力画面は、前記サマリ情報を入力するためのサマリ情報入力画面を含み、
前記対応情報は、前記所見の入力事項と前記サマリ情報の入力事項とを対応付け、
前記制御手段は、前記入力された所見の入力事項が前記サマリ情報の入力事項に対応するか前記対応情報に基づいて特定し、前記サマリ情報の入力事項に対応するときに該所見の入力事項を前記表示手段に表示させる、
ことを特徴とする請求項１に記載の診療支援システム。
【請求項９】
前記所見関連情報は、将来実施予定の診療行為を記録した診療予定情報を含み、
前記所見関連情報入力画面は、前記診療予定情報を入力するための診療予定情報入力画面を含み、
前記対応情報は、前記所見の入力事項と前記診療予定情報の入力事項とを対応付け、
前記制御手段は、前記入力された所見の入力事項に対応する前記診療予定情報の入力事項を前記対応情報に基づいて特定し、該特定された入力事項を前記表示手段に表示させる、
ことを特徴とする請求項１に記載の診療支援システム。
【請求項１０】
所見を入力するための所見入力画面と、所見に関連する所見関連情報を入力するための所見関連情報入力画面とを表示する表示手段と、
前記所見の入力事項と前記所見関連情報の入力事項とを対応付ける対応情報を記憶する記憶手段と、
操作手段と、
前記操作手段により前記所見関連情報入力画面に所見関連情報が入力されたときに、当該所見関連情報の入力事項に対応する所見の入力事項を前記対応情報に基づいて特定し、前記特定された入力事項を前記表示手段に表示させる制御手段と、
を備えることを特徴とする診療支援システム。
【請求項１１】
所見を入力するための所見入力画面と、所見に関連する所見関連情報を入力するための所見関連情報入力画面とを並べて表示する表示手段と、
前記所見の入力事項と前記所見関連情報の入力事項とを対応付ける対応情報を記憶する記憶手段と、
操作手段と、
前記所見入力画面及び前記所見関連情報入力画面のうちの一方の入力画面に前記操作手段により情報が入力されたときに、該入力された情報に対応する情報を前記対応情報に基づいて特定し、前記特定された情報を他方の入力画面に表示させる制御手段と、
を備えることを特徴とする診療支援システム。
【請求項１２】
所見を入力するための所見入力画面を表示する表示手段と、
前記所見の入力事項と、所見に関連する所見関連情報の入力事項とを対応付ける対応情報を記憶する記憶手段と、
操作手段と、
前記操作手段により前記所見入力画面に所見が入力されたときに、当該所見の入力事項に対応する所見関連情報の入力事項を前記対応情報に基づいて特定し、前記特定された入力事項を前記記憶手段に記憶させる制御手段と、
を備えることを特徴とする診療支援システム。
【請求項１３】
所見に関連する所見関連情報を入力するための所見関連情報入力画面とを表示する表示手段と、
所見の入力事項と前記所見関連情報の入力事項とを対応付ける対応情報を記憶する記憶手段と、
操作手段と、
前記操作手段により前記所見関連情報入力画面に所見関連情報が入力されたときに、当該所見関連情報の入力事項に対応する所見の入力事項を前記対応情報に基づいて特定し、前記特定された入力事項を前記記憶手段に記憶させる制御手段と、
を備えることを特徴とする診療支援システム。
【請求項１４】
コンピュータを、
所見を入力するための所見入力画面と、所見に関連する所見関連情報を入力するための所見関連情報入力画面とを表示する表示手段、
前記所見の入力事項と前記所見関連情報の入力事項とを対応付ける対応情報を記憶する記憶手段、
操作手段、及び、
前記操作手段により前記所見入力画面に所見が入力されたときに、当該所見の入力事項に対応する所見関連情報の入力事項を前記対応情報に基づいて特定し、前記特定された入力事項を前記表示手段に表示させる制御手段、
として機能させるプログラム。
【請求項１５】
コンピュータを、
所見を入力するための所見入力画面と、所見に関連する所見関連情報を入力するための所見関連情報入力画面とを表示する表示手段、
前記所見の入力事項と前記所見関連情報の入力事項とを対応付ける対応情報を記憶する記憶手段、
操作手段、及び、
前記操作手段により前記所見関連情報入力画面に所見関連情報が入力されたときに、当該所見関連情報の入力事項に対応する所見の入力事項を前記対応情報に基づいて特定し、前記特定された入力事項を前記表示手段に表示させる制御手段、
として機能させるプログラム。
【請求項１６】
コンピュータを、
所見を入力するための所見入力画面と、所見に関連する所見関連情報を入力するための所見関連情報入力画面とを並べて表示する表示手段、
前記所見の入力事項と前記所見関連情報の入力事項とを対応付ける対応情報を記憶する記憶手段、
操作手段、及び、
前記所見入力画面及び前記所見関連情報入力画面のうちの一方の入力画面に前記操作手段により情報が入力されたときに、該入力された情報に対応する情報を前記対応情報に基づいて特定し、前記特定された情報を他方の入力画面に表示させる制御手段、
として機能させるプログラム。
【請求項１７】
コンピュータを、
所見を入力するための所見入力画面を表示する表示手段、
前記所見の入力事項と、所見に関連する所見関連情報の入力事項とを対応付ける対応情報を記憶する記憶手段、
操作手段、及び、
前記操作手段により前記所見入力画面に所見が入力されたときに、当該所見の入力事項に対応する所見関連情報の入力事項を前記対応情報に基づいて特定し、前記特定された入力事項を前記記憶手段に記憶させる制御手段、
として機能させるプログラム。
【請求項１８】
コンピュータを、
所見に関連する所見関連情報を入力するための所見関連情報入力画面とを表示する表示手段、
所見の入力事項と前記所見関連情報の入力事項とを対応付ける対応情報を記憶する記憶手段、
操作手段、及び、
前記操作手段により前記所見関連情報入力画面に所見関連情報が入力されたときに、当該所見関連情報の入力事項に対応する所見の入力事項を前記対応情報に基づいて特定し、前記特定された入力事項を前記記憶手段に記憶させる制御手段、
として機能させるプログラム。
【発明の詳細な説明】
【技術分野】
【０００１】
この発明は、診療支援システム及びプログラムに関し、特に、診療行為に関わる情報の入力作業を支援する技術に関する。
【背景技術】
【０００２】
近年、医療機関における情報の電子化が進められている。たとえば、患者に対する診療内容を電子的に記録する技術が普及してきている（たとえば特許文献１参照）。また、検査、処置、薬剤処方等のオーダ（ｏｒｄｅｒ）の入力を受けて、その検査等の実施内容をコスト情報に反映させる技術なども普及してきている。
【０００３】
ここで、コスト情報には、たとえば診察、検査、処置、処方薬剤等の診療行為を表す情報のように、診療報酬に反映される情報が含まれる。更に、コスト情報には、診療報酬には反映されない行為についての情報が含まれていてもよい。診療報酬に反映されない情報の例としては、１ヶ月に所定回数までしか保険点数が加算されない診療行為を当該所定回数を超えて実施した場合における、その超過回数分に関する情報などがある。なお、このような場合も、規則上診療報酬に反映させないだけであるので、広義の「診療報酬に反映される情報」に含まれるものとする。コスト情報に関わる診療行為を「コスト」と呼ぶことがある。
【０００４】
なお、眼科のように診療科内に検査部門が存在する場合においては、事前にオーダを発行する代わりに、検査が実施された旨の情報を発行し、この情報をコスト情報として扱うシステムが開発されている。このようなシステムによれば、オーダの発行に掛かる手間を省いて診療の効率化を図ることができるとともに、診療報酬の請求漏れや過大請求の防止を図ることができる。
【０００５】
また、過去の診療行為や所見など、当該患者に対する過去の診療情報を要約したサマリ（ｓｕｍｍａｒｙ）情報を作成して診療の効率化を図ることも行われている。サマリ情報は、従来は紙媒体に出力されて利用されていたが、近年ではサマリ情報の電子化も進められている。
【０００６】
【特許文献１】特開２００２−２５９５５５号公報
【特許文献２】特開２００３−３３７８５８号公報
【発明の開示】
【発明が解決しようとする課題】
【０００７】
近年、診療報酬の不正請求や請求ミスなどを防止するために、コスト情報を入力するための画面（コスト情報入力画面）にコストの発生理由、すなわちその診療行為を実施した理由を記入するよう要求されることが多くなってきた。コストの発生理由が記入されていない場合には、診療報酬を請求できない場合もある。そのため、医療機関を運営する上で、コストの発生理由を確実に記入する必要性が高くなってきている。
【０００８】
上記のような従来のシステムを適用している場合、コストの発生理由を記入する際には、所見が記載された画面や、コストの発生理由である診療行為が記載された画面を表示させ、その記載内容をコスト情報入力画面に記入していた。このように、従来のシステムによれば、コスト発生理由の記入作業は、時間的にも労力的にも負担が大きかった。また、コスト発生理由の記入ミスが発生するおそれも少なくなかった。
【０００９】
また、コスト情報入力画面には、所見やそれに基づく傷病名も記入するようになっていることが多い。したがって、従来のシステムによれば、所見や傷病名とコストの発生理由との双方を手作業で記入しなければならず、その作業に掛かる負担は大きかった。また、入力ミスが発生するおそれもあった。
【００１０】
また、従来、サマリ情報は、記載事項を手作業で入力していた。しかし、サマリ情報としての記載事項の多くは、所見の記載内容と重複していることを鑑みると、サマリ情報の入力作業に時間と労力を掛けることは効率的とも有効とも言い難い。また、サマリ情報の入力ミスが発生するおそれもあった。
【００１１】
また、たとえば次回の診療日に行う検査など、将来実施する診療行為は、所見の内容や過去の診療行為に基づいて決定されることが多い。従来のシステムでは、今回の所見を参照して将来の診療行為を決定し、この決定された診療行為を所定の画面に入力することにより診療予定を管理していた。そのため、所見の入力と診療予定情報の入力の双方を行わなければならなかった。更に、診療予定情報の入力ミスが発生するおそれもあった。
【００１２】
この発明は、以上のような問題を解決するためになされたもので、所見に関わる情報の入力作業の効率化を図ることが可能な診療支援システム及びプログラムを提供することを目的とする。
【００１３】
また、この発明は、所見に関わる情報の入力ミスの防止を図ることが可能な診療支援システム及びプログラムを提供することを他の目的とする。
【課題を解決するための手段】
【００１４】
上記目的を達成するために、請求項１に記載の発明は、所見を入力するための所見入力画面と、所見に関連する所見関連情報を入力するための所見関連情報入力画面とを表示する表示手段と、前記所見の入力事項と前記所見関連情報の入力事項とを対応付ける対応情報を記憶する記憶手段と、操作手段と、前記操作手段により前記所見入力画面に所見が入力されたときに、当該所見の入力事項に対応する所見関連情報の入力事項を前記対応情報に基づいて特定し、前記特定された入力事項を前記表示手段に表示させる制御手段と、を備えることを特徴とする診療支援システムである。
【００１５】
また、請求項２に記載の発明は、請求項１に記載の診療支援システムであって、前記制御手段は、前記表示された所見関連情報の入力事項に対して前記操作手段による操作がなされたときに、当該操作がなされた入力事項を前記所見関連情報入力画面に入力する、ことを特徴とする。
【００１６】
また、請求項３に記載の発明は、請求項２に記載の診療支援システムであって、前記制御手段は、前記入力された所見の入力事項に対して前記所見関連情報の二以上の入力事項が関連付けられているときに、前記二以上の入力事項を前記表示手段に選択可能に表示させ、前記操作手段により前記二以上の入力事項のいずれかが指定されたときに、前記指定された入力事項を前記所見関連情報入力画面に入力する、ことを特徴とする。
【００１７】
また、請求項４に記載の発明は、請求項１に記載の診療支援システムであって、前記制御手段は、所見の入力事項のリストを前記表示手段に表示させ、前記操作手段により前記リスト中の入力事項が指定されたときに、前記指定された入力事項を前記所見入力画面に入力する、ことを特徴とする。
【００１８】
また、請求項５に記載の発明は、請求項４に記載の診療支援システムであって、前記所見はシェーマ図を含み、前記記憶手段は、異なる複数のシェーマ図の下絵画像と、前記複数の下絵画像のそれぞれに対応する前記リストとを記憶し、前記制御手段は、前記操作手段により前記複数の下絵画像のうちのいずれかが指定されたときに、該指定された下絵画像に対応するリストを前記表示手段に表示させる、ことを特徴とする。
【００１９】
また、請求項６に記載の発明は、請求項１に記載の診療支援システムであって、前記所見関連情報は、診療報酬に反映されるコスト情報を含み、前記所見関連情報入力画面は、前記コスト情報を入力するためのコスト情報入力画面を含み、前記対応情報は、前記所見の入力事項と前記コスト情報の入力事項とを対応付け、前記制御手段は、前記入力された所見の入力事項に対応するコスト情報の入力事項を前記対応情報に基づいて特定し、該特定された入力事項を前記表示手段に表示させる、ことを特徴とする。
【００２０】
また、請求項７に記載の発明は、請求項６に記載の診療支援システムであって、前記所見関連情報は、傷病名を含み、前記コスト情報入力画面には、傷病名を入力するための画面領域が設けられ、前記対応情報は、前記所見の入力事項と前記傷病名とを対応付け、前記制御手段は、前記入力された所見の入力情報に対応する傷病名を前記対応情報により特定し、該特定された傷病名を前記表示手段に表示させる、ことを特徴とする。
【００２１】
また、請求項８に記載の発明は、請求項１に記載の診療支援システムであって、前記所見関連情報は、過去の診療情報を要約したサマリ情報を含み、前記所見関連情報入力画面は、前記サマリ情報を入力するためのサマリ情報入力画面を含み、前記対応情報は、前記所見の入力事項と前記サマリ情報の入力事項とを対応付け、前記制御手段は、前記入力された所見の入力事項が前記サマリ情報の入力事項に対応するか前記対応情報に基づいて特定し、前記サマリ情報の入力事項に対応するときに該所見の入力事項を前記表示手段に表示させる、ことを特徴とする。
【００２２】
また、請求項９に記載の発明は、請求項１に記載の診療支援システムであって、前記所見関連情報は、将来実施予定の診療行為を記録した診療予定情報を含み、前記所見関連情報入力画面は、前記診療予定情報を入力するための診療予定情報入力画面を含み、前記対応情報は、前記所見の入力事項と前記診療予定情報の入力事項とを対応付け、前記制御手段は、前記入力された所見の入力事項に対応する前記診療予定情報の入力事項を前記対応情報に基づいて特定し、該特定された入力事項を前記表示手段に表示させる、ことを特徴とする。
【００２３】
また、請求項１０に記載の発明は、所見を入力するための所見入力画面と、所見に関連する所見関連情報を入力するための所見関連情報入力画面とを表示する表示手段と、前記所見の入力事項と前記所見関連情報の入力事項とを対応付ける対応情報を記憶する記憶手段と、操作手段と、前記操作手段により前記所見関連情報入力画面に所見関連情報が入力されたときに、当該所見関連情報の入力事項に対応する所見の入力事項を前記対応情報に基づいて特定し、前記特定された入力事項を前記表示手段に表示させる制御手段と、を備えることを特徴とする診療支援システムである。
【００２４】
また、請求項１１に記載の発明は、所見を入力するための所見入力画面と、所見に関連する所見関連情報を入力するための所見関連情報入力画面とを並べて表示する表示手段と、前記所見の入力事項と前記所見関連情報の入力事項とを対応付ける対応情報を記憶する記憶手段と、操作手段と、前記所見入力画面及び前記所見関連情報入力画面のうちの一方の入力画面に前記操作手段により情報が入力されたときに、該入力された情報に対応する情報を前記対応情報に基づいて特定し、前記特定された情報を他方の入力画面に表示させる制御手段と、を備えることを特徴とする診療支援システムである。
【００２５】
また、請求項１２に記載の発明は、所見を入力するための所見入力画面を表示する表示手段と、前記所見の入力事項と、所見に関連する所見関連情報の入力事項とを対応付ける対応情報を記憶する記憶手段と、操作手段と、前記操作手段により前記所見入力画面に所見が入力されたときに、当該所見の入力事項に対応する所見関連情報の入力事項を前記対応情報に基づいて特定し、前記特定された入力事項を前記記憶手段に記憶させる制御手段と、を備えることを特徴とする診療支援システムである。
【００２６】
また、請求項１３に記載の発明は、所見に関連する所見関連情報を入力するための所見関連情報入力画面とを表示する表示手段と、所見の入力事項と前記所見関連情報の入力事項とを対応付ける対応情報を記憶する記憶手段と、操作手段と、前記操作手段により前記所見関連情報入力画面に所見関連情報が入力されたときに、当該所見関連情報の入力事項に対応する所見の入力事項を前記対応情報に基づいて特定し、前記特定された入力事項を前記記憶手段に記憶させる制御手段と、を備えることを特徴とする診療支援システムである。
【００２７】
また、請求項１４に記載の発明は、コンピュータを、所見を入力するための所見入力画面と、所見に関連する所見関連情報を入力するための所見関連情報入力画面とを表示する表示手段、前記所見の入力事項と前記所見関連情報の入力事項とを対応付ける対応情報を記憶する記憶手段、操作手段、及び、前記操作手段により前記所見入力画面に所見が入力されたときに、当該所見の入力事項に対応する所見関連情報の入力事項を前記対応情報に基づいて特定し、前記特定された入力事項を前記表示手段に表示させる制御手段、として機能させるプログラムである。
【００２８】
また、請求項１５に記載の発明は、コンピュータを、所見を入力するための所見入力画面と、所見に関連する所見関連情報を入力するための所見関連情報入力画面とを表示する表示手段、前記所見の入力事項と前記所見関連情報の入力事項とを対応付ける対応情報を記憶する記憶手段、操作手段、及び、前記操作手段により前記所見関連情報入力画面に所見関連情報が入力されたときに、当該所見関連情報の入力事項に対応する所見の入力事項を前記対応情報に基づいて特定し、前記特定された入力事項を前記表示手段に表示させる制御手段、として機能させるプログラムである。
【００２９】
また、請求項１６に記載の発明は、コンピュータを、所見を入力するための所見入力画面と、所見に関連する所見関連情報を入力するための所見関連情報入力画面とを並べて表示する表示手段、前記所見の入力事項と前記所見関連情報の入力事項とを対応付ける対応情報を記憶する記憶手段、操作手段、及び、前記所見入力画面及び前記所見関連情報入力画面のうちの一方の入力画面に前記操作手段により情報が入力されたときに、該入力された情報に対応する情報を前記対応情報に基づいて特定し、前記特定された情報を他方の入力画面に表示させる制御手段、として機能させるプログラムである。
【００３０】
また、請求項１７に記載の発明は、コンピュータを、所見を入力するための所見入力画面を表示する表示手段、前記所見の入力事項と、所見に関連する所見関連情報の入力事項とを対応付ける対応情報を記憶する記憶手段、操作手段、及び、前記操作手段により前記所見入力画面に所見が入力されたときに、当該所見の入力事項に対応する所見関連情報の入力事項を前記対応情報に基づいて特定し、前記特定された入力事項を前記記憶手段に記憶させる制御手段、として機能させるプログラムである。
【００３１】
また、請求項１８に記載の発明は、コンピュータを、所見に関連する所見関連情報を入力するための所見関連情報入力画面とを表示する表示手段、所見の入力事項と前記所見関連情報の入力事項とを対応付ける対応情報を記憶する記憶手段、操作手段、及び、前記操作手段により前記所見関連情報入力画面に所見関連情報が入力されたときに、当該所見関連情報の入力事項に対応する所見の入力事項を前記対応情報に基づいて特定し、前記特定された入力事項を前記記憶手段に記憶させる制御手段、として機能させるプログラムである。
【発明の効果】
【００３２】
この発明によれば、操作手段により所見入力画面に所見が入力されたときに、この所見の入力事項に対応する所見関連情報の入力事項を対応情報に基づいて特定し、特定された入力事項を表示手段に表示させることができる。したがって、所見に関わる情報の入力作業の効率化を図ることができる。また、所見に関わる情報の入力ミスの防止を図ることができる。
【００３３】
また、この発明によれば、操作手段により所見関連情報入力画面に所見関連情報が入力されたときに、この所見関連情報の入力事項に対応する所見の入力事項を対応情報に基づいて特定し、特定された入力事項を表示手段に表示させることができる。したがって、所見に関わる情報の入力作業の効率化を図ることができる。また、所見に関わる情報の入力ミスの防止を図ることができる。
【００３４】
また、この発明によれば、並んで表示された所見入力画面及び所見関連情報入力画面のうちの一方の入力画面に操作手段により情報が入力されたときに、この入力された情報に対応する情報を対応情報に基づいて特定し、特定された情報を他方の入力画面に表示させることができる。したがって、所見に関わる情報の入力作業の効率化を図ることができる。また、所見に関わる情報の入力ミスの防止を図ることができる。
【００３５】
また、この発明によれば、操作手段により前記所見入力画面に所見が入力されたときに、この所見の入力事項に対応する所見関連情報の入力事項を対応情報に基づいて特定し、特定された入力事項を記憶手段に記憶させることができる。したがって、所見に関わる情報の入力作業の効率化を図ることができる。また、所見に関わる情報の入力ミスの防止を図ることができる。
【００３６】
また、この発明によれば、操作手段により所見関連情報入力画面に所見関連情報が入力されたときに、この所見関連情報の入力事項に対応する所見の入力事項を対応情報に基づいて特定し、特定された入力事項を記憶手段に記憶させることができる。したがって、所見に関わる情報の入力作業の効率化を図ることができる。また、所見に関わる情報の入力ミスの防止を図ることができる。
【発明を実施するための最良の形態】
【００３７】
この発明に係る診療支援システム及びプログラムの実施形態の一例について、図面を参照しながら詳細に説明する。
【００３８】
この実施形態に係る診療支援システム及びプログラムは、所見の入力事項と所見関連情報の入力事項とを対応付けておくことにより、情報の入力作業の効率化及び入力ミスの防止を図るものである。
【００３９】
なお、所見関連情報とは、所見に関連する各種の医療情報を意味し、所見の入力から派生的に入力が必要となる情報を含んでいる。このような所見関連情報としては、たとえば、診療報酬に反映されるコスト情報や、過去の診療情報を要約したサマリ情報や、診療予定を記録した診療予定情報などがある。なお、コスト情報には、前述した広義の「診療報酬に反映される情報」も含まれていてもよい。以下、この発明を眼科分野に適用する場合について特に詳細に説明する。
【００４０】
［診療支援システムの構成］
図１は、この実施形態に係る診療支援システムの機能的構成の例を表している。この診療支援システム１は、医師等が使用するコンピュータを含んで構成される。このコンピュータは、たとえば、院内ＬＡＮ（Ｌｏｃａｌ  Ａｒｅａ  Ｎｅｔｗｏｒｋ）等の通信回線を介して、カルテ情報を保管し管理するデータベースに接続されている。カルテ情報とは、電子カルテとして利用される情報である。なお、診療支援システム１は、コンピュータ単体により構成されてもよいし、データベース等の記憶装置を含んで構成されてもよい。
【００４１】
また、診療支援システム１は、通信回線を介して撮影装置や検査装置に接続されていてもよい。眼科分野で用いられる撮影装置としては、たとえば、眼底カメラ、スリットランプ（細隙灯顕微鏡）、ＯＣＴ（Ｏｐｔｉｃａｌ  Ｃｏｈｅｒｅｎｃｅ  Ｔｏｍｏｇｒａｐｈｙ）装置、ＳＬＯ（Ｓｃａｎｎｉｎｇ  Ｌａｓｅｒ  Ｏｐｈｔｈａｌｍｏｓｃｏｐｅ）装置などがある。眼科以外の分野においては、Ｘ線ＣＴ（Ｃｏｍｐｕｔｅｄ  Ｔｏｍｏｇｒａｐｈｙ）装置や、ＭＲＩ（Ｍａｇｎｅｔｉｃ  Ｒｅｓｏｎａｎｃｅ  Ｉｍａｇｉｎｇ）装置等の被検体の内部形態や機能を撮影する医用画像診断装置など、各診療科の診療内容に応じた各種の撮影装置を用いることができる。
【００４２】
また、眼科分野で用いられる検査装置としては、たとえば、視力検査装置、オートレフラクトメータ、オートケラトメータ、眼圧計、視野計、眼軸長計測装置などがある。眼科以外の分野においては、各診療科に応じた各種の検査装置が用いられる。
【００４３】
診療支援システム１には、図１に示すように、制御部１１、記憶部１２、操作部１３及び表示部１４が設けられている。
【００４４】
〔制御部〕
制御部１１は、診療支援システム１の各部を制御する。たとえば、制御部１１は、表示部１４に各種の画面やデータを表示させる。また、制御部１１は、操作部１３が操作されたときに、その操作内容に応じた処理を診療支援システム１に実行させる。
【００４５】
また、制御部１１は、所見情報や所見関連情報等のカルテ情報を処理する。その処理内容については後述する。制御部１１は、この発明の「制御手段」の一例である。
【００４６】
制御部１１には、主制御部１１１、所見情報処理部１１２、所見関連情報処理部１１３及び情報特定部１１４が設けられている。
【００４７】
（主制御部）
主制御部１１１は、システム各部の制御や、記憶部１２からのデータの読み出し処理や、記憶部１２に対するデータの書き込み処理などを行う。また、主制御部１１１は、院内ＬＡＮ等の通信回線を介してデータ通信を行うＬＡＮカード等の通信インターフェイスを備えていてもよい。この場合、記憶部１２は、前述のデータベースを含んでいてもよい。
【００４８】
（所見情報処理部）
所見情報処理部１１２は、所見情報を処理する。特に、所見情報処理部１１２は、所見情報を入力するための画面（所見入力画面）に呈示される情報や入力される情報を処理する。その一例として、所見として入力された情報の管理を行う。
【００４９】
所見入力画面については後述する。所見情報とは、医師により所見として入力される情報である。所見情報には、文字所見やシェーマ図などがある。文字所見は、コメントや文章等の文字列情報を主とするテキスト情報である。また、シェーマ図は、たとえば、眼底等の診療部位のテンプレート画像（下絵画像）に、病変部や治療部位を示す領域を書き込んだり、病名やコメント等を記載したりして作成される画像情報である。
【００５０】
（所見関連情報処理部）
所見関連情報処理部１１３は、前述の所見関連情報を処理する。特に所見関連情報処理部１１３は、所見関連情報を入力するための画面（所見関連情報入力画面）に呈示される情報や入力される情報を処理する。その一例として、所見関連情報として入力された情報の管理を行う。
【００５１】
（情報特定部）
情報特定部１１４は、所見の入力事項に対応する所見関連情報の入力事項を特定する。このとき、情報特定部１１４は対応情報を参照する。対応情報は、記憶部１２に記憶されている。
【００５２】
対応情報の一例を図２に示す。この対応情報１２０は、「所見」欄の各記載項目に対して、「コスト」欄や「次回予定」欄や「サマリフラグ」欄の記載項目を対応付ける情報である。
【００５３】
所見欄には、所見として入力される事項が列挙されている。コスト欄には、所見欄の入力事項に対応するコスト情報の入力事項が記載されている。次回予定欄には、所見欄の入力事項に対応する次回予定、すなわち次回の診療において実施する予定の診療行為が記載されている。
【００５４】
サマリフラグ欄には、所見の各入力事項に対し、数値「０」又は「１」が割り当てられている。数値「１」はサマリへの入力対象であることを表し、数値「０」は入力対象ではないことを表している。つまり、数値「１」は、所見欄の当該入力事項がサマリ情報への入力事項であることを表す。また、数値「０」は、所見欄の当該入力事項がサマリ情報への入力事項でないことを表す。この意味で、所見欄とサマリフラグ欄との対応付けは、各々の入力事項を対応付けるものと考えることができる。
【００５５】
所見欄の第１番目の入力事項“グラアタック”は緑内障の発作を意味する。この“グラアタック」”には、コスト欄の“点滴”が対応付けられている。これは、グラアタックの発生時には点滴投与（コスト）を実施することに対応している。所見欄の入力事項とコスト欄の入力事項との対応付けについては、これ以外も同様である。なお、“眼圧上昇”に対してコスト欄の入力事項が対応付けられているように、所見欄の一つの入力事項に対してコスト欄の複数の入力事項を対応付けることも可能である。
【００５６】
また、第３の入力事項“黄斑変性”には、次回予定欄の“視野検査”が対応付けられている。これは、黄斑変性（少なくともその疑い有り）と診断されたら、その次回の診療において視野検査を実施することに対応している。“点眼薬”や“角膜障害”に対して“精密細隙灯検査”が対応付けられているのも同様である。なお、このように、所見欄の複数の入力事項に対して次回予定欄の同じ入力事項を対応付けてもよい。
【００５７】
このような対応情報１２０に基づき、情報特定部１１４は次のような処理を行う。オペレータにより所見情報が入力されると、情報特定部１１４は、その入力内容に対応する入力事項を対応情報１２０の所見欄から選択する。なお、対応する入力事項が無い場合には以下の処理は行わない。次に、情報特定部１１４は、対応情報１２０を参照し、所見欄から選択された入力事項に対応する他の欄の入力事項を特定する。
【００５８】
なお、以上とは逆の情報特定処理を実行することも可能である。すなわち、コスト欄等の入力事項が入力されたときに、その入力事項に対応付けられた所見欄の入力事項を特定することができる。
【００５９】
また、或る欄の入力事項が入力されたときに、それ以外の任意の欄から対応する入力事項を特定することも可能である。このとき、入力事項が特定される欄の個数についても任意である。
【００６０】
〔記憶部〕
記憶部１２は、各種の情報を記憶する。記憶部１２には、カルテ情報記憶部１２１、対応情報記憶部１２２及び下絵記憶部１２３が設けられている。カルテ情報記憶部１２１、対応情報記憶部１２２及び下絵記憶部１２３は、同一の記憶装置の異なる記憶領域として設けられてもよいし、別々の記憶装置に設けられてもよい。記憶部１２は、前述のデータベースを含んで構成されていてもよい。その場合、記憶部１２には、通信回線を介してデータ通信を行う通信インターフェイスが設けられる。記憶部１２は、この発明の「記憶手段」の一例である。
【００６１】
カルテ情報記憶部１２１には、患者に対して実施された診療行為（検査、処置、処方薬剤等）や、医師による所見などが記録されたカルテ情報が記憶されている。カルテ情報は、患者ＩＤ等の患者識別情報によって各患者毎に管理されている。また、各患者のカルテ情報は、診療日の日付情報等によって各診療日毎に管理されている。各診療日のカルテ情報には、その診療日に取得された検査結果や撮影画像、更には医師による所見やメモなどが記録される。
【００６２】
なお、撮影画像などについては、個別のデータベースで管理するようにしてもよい。たとえば医用画像の分野においては、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等のシステムが用いられている。
【００６３】
対応情報記憶部１２２には、前述の対応情報（図２参照）が記憶される。
【００６４】
下絵記憶部１２３には、シェーマ図のテンプレート画像（下絵画像）が記憶される。下絵記憶部１２３には、診療部位毎に複数のテンプレート画像が記憶されている。たとえば眼科分野においては、眼底のテンプレート画像や前眼部のテンプレート画像が記憶されている。また、他の診療科においては、その診療部位に応じた各種のテンプレート画像が用いられる。
【００６５】
〔操作部〕
操作部１３は、オペレータが診療支援システム１を操作するときや、データを入力するときに使用される。操作部１３は、オペレータによる操作を受けると、その操作内容に応じた信号を生成して主制御部１１１に入力する。主制御部１１１は、この信号に基づいて診療支援システム１を制御する。
【００６６】
操作部１３は、キーボード、マウス、トラックボール、ジョイスティック、コントロールパネルなど、任意の操作デバイスや入力デバイスを含んで構成されている。操作部１３は、この発明の「操作手段」の一例である。
【００６７】
〔表示部〕
表示部１４は、主制御部１１１の制御にしたがって各種の画面やデータを表示する。表示部１４は、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスから構成される。表示部１４は、単一の表示デバイスで構成されていてもよいし、２つ以上の表示デバイスで構成されていてもよい。表示部１４は、この発明の「表示手段」の一例である。
【００６８】
なお、この実施形態においては、操作部１３と表示部１４とをそれぞれ別個に設けているが、タッチパネル方式のＬＣＤやペンタブレットなどのように、操作手段と表示手段とを一体化した構成を適用することも可能である。
【００６９】
［システム構成の具体例］
診療支援システム１のシステム構成の具体例を説明する。図３は、診療支援システム１の具体例を表している。この診療支援システム１は、コンピュータ１００とデータベース２００を含んで構成されている。
【００７０】
コンピュータ１００は、たとえば電子カルテの閲覧作業や編集作業などに用いられる。データベース２００は、各種の情報を保管し管理するサーバ等のコンピュータである。データベース２００が保管する情報としては、カルテ情報や撮影画像などがある。
【００７１】
コンピュータ１００とデータベース２００は、院内ＬＡＮ等の通信回線Ｎを介して接続されている。オペレータは、カルテ情報の閲覧や編集の要求をコンピュータ１００に入力する。この要求は、たとえば、患者ＩＤ等の患者識別情報を入力又は選択し、所定のソフトキー（カルテ情報の検索を指示するソフトキー）をクリックすることにより行う。コンピュータ１００は、入力された要求をデータベース２００に送信する。データベース２００は、この要求に基づいてカルテ情報を検索し、その検索結果をコンピュータ１００に送信する。コンピュータ１００は、この検索結果、すなわちカルテ情報を表示する。
【００７２】
オペレータは、表示されたカルテ情報の編集を行うことができる。この編集作業では、新規の診療情報等のカルテ情報を入力したり、過去のカルテ情報を修正したりすることが可能である。コンピュータ１００は、カルテ情報の編集結果をデータベース２００に送信する。データベース２００は、この編集結果に基づいて当該カルテ情報の内容を更新する。
【００７３】
次に、コンピュータ１００及びデータベース２００の構成例を説明する。コンピュータ１００は、たとえば、図１の制御部１１、記憶部１２、操作部１３及び表示部１４として機能する。また、データベース２００は、記憶部１２として機能する。
【００７４】
コンピュータ１００は、一般的なコンピュータと同様に、ＣＰＵ等のマイクロプロセッサ１０１、主記憶装置として機能するＲＡＭ１０２、外部記憶装置として機能するＲＯＭ１０３、同じく外部記憶装置として機能するハードディスクドライブ（ＨＤＤ）１０４、ディスプレイ１０５、キーボード１０６、マウス１０７及び通信インターフェイス（Ｉ／Ｆ）１０８を含んで構成されている。これら各部は、バス１０９を介して接続されている。なお、コンピュータ１００には、プリンタ等の外部機器が接続されていてもよい。
【００７５】
マイクロプロセッサ１０１は、ハードディスクドライブ１０４に格納されたプログラム１０４ａをＲＡＭ１０２上に展開することにより、この実施形態に特有の動作をコンピュータ１００に実行させる。プログラム１０４ａは、この発明の「プログラム」の一例である。
【００７６】
また、マイクロプロセッサ１０１は、コンピュータ１００の各部の制御や各種の演算処理を実行する。制御部１１は、マイクロプロセッサ１０１を含んで構成される。
【００７７】
ディスプレイ１０５、キーボード１０６、マウス１０７は、コンピュータ１００のユーザインターフェイスとして使用される。表示部１４は、ディスプレイ１０５を含んで構成される。
【００７８】
キーボード１０６は、文字や数字等をタイピング入力するためのデバイスとして用いられる。マウス１０７は、ディスプレイ１０５に表示されるマウスポインタを移動させて表示画面上のオブジェクトを選択したり、各種動作を実行させたりするためのポインティングデバイスである。操作部１３は、キーボード１０６やマウス１０７を含んで構成される。
【００７９】
通信インターフェイス１０８は、マイクロプロセッサ１０１の制御に基づいて、通信回線Ｎを介したデータ通信を行う。通信インターフェイス１０８は、通信回線Ｎに準拠したＬＡＮカード等のネットワークアダプタを含んで構成される。通信インターフェイス１０８は、たとえば制御部１１に含まれる。
【００８０】
データベース２００は、たとえば図３のコンピュータ１００と同様に構成される。なお、データベース２００は、大量のカルテ情報や撮影画像等のデータを保管するために、大容量の記憶装置を備えていることが望ましい。データベース２００としては、たとえば汎用のファイルサーバを用いることができる。
【００８１】
［動作態様］
診療支援システム１の動作態様を説明する。以下、３つの動作態様を説明する。第１の動作態様では、所見の入力とコスト情報の入力との連係動作を説明する。第２の動作態様では、所見の入力とサマリ情報の入力との連係動作を説明する。第３の動作態様では、所見の入力と診療予定情報の入力との連係動作を説明する。
【００８２】
なお、ここでは３つの動作を別々に説明するが、図２の対応情報１２０の構成から分かるように、これら３つの動作のうちの２つ以上を一連の処理として実行できる。
【００８３】
〔第１の動作態様〕
図４に示すフローチャートは、診療支援システム１の第１の動作態様の一例を表している。また、図５〜図７は、第１の動作態様において表示される画面の一例を表している。
【００８４】
オペレータが操作部１３を操作して患者ＩＤ等を入力すると、主制御部１１１は、この患者ＩＤ等に対応するカルテ情報をカルテ情報記憶部１２１から取得する。更に、主制御部１１１は、このカルテ情報に基づいて、図５に示す電子カルテ表示画面１０００を表示部１４に表示させる（Ｓ１）。
【００８５】
電子カルテ表示画面１０００について説明する。電子カルテ表示画面１０００には、患者情報表示部１０１０、基本情報表示部１０２０、シェーマ図表示部１０３０、サムネイル表示部１０４０、文字所見表示部１０５０、検査情報表示部１０６０、シェーマ図入力ボタン１０７１、文字所見入力ボタン１０７２、オーダ入力ボタン１０８０、診療予定入力ボタン１０９０、医師情報表示部１１００及び操作ボタン部１２００が設けられている。
【００８６】
患者情報表示部１０１０には、この患者の患者ＩＤや患者氏名や性別等の患者情報が表示される。基本情報表示部１０２０には、この患者に関する基本的な情報として、傷病名、特記事項、メモ、来院歴、手術歴等が表示される。
【００８７】
シェーマ図表示部１０３０には、医師等により作成されたシェーマ図が表示される。サムネイル表示部１０４０には、シェーマ図のサムネイル画像が表示される。オペレータが操作部１３を操作して所望のサムネイル画像を選択すると、主制御部１１１は、このサムネイル画像に対応するシェーマ図をシェーマ図表示部１０３０に表示させる。
【００８８】
シェーマ図の作成は、シェーマ図入力ボタン１０７１をクリックして後述のシェーマ図入力画面２０００（図６参照）を表示させて行う。シェーマ図入力画面２０００は、シェーマ図を作成するための画面である。なお、シェーマ図入力画面２０００は、他の所見情報（たとえば文字所見）を入力可能に構成されていてもよい。所見情報処理部１１２は、オペレータがシェーマ図入力画面２０００に入力した内容に基づいてシェーマ図を作成する。作成されたシェーマ図やそのサムネイル画像は、主制御部１１１によりシェーマ図表示部１０３０やサムネイル表示部１０４０に表示される。シェーマ図入力画面２０００は、この発明の「所見入力画面」の一例である。
【００８９】
文字所見表示部１０５０には、医師等により入力された診断結果やコメントや検査評価などの所見情報が表示される。文字所見入力ボタン１０７２がクリックされると、主制御部１１１は、文字所見表示部１０５０への情報入力を可能にする。オペレータは、操作部１３を操作して文字所見表示部１０５０に文字所見を入力する。文字所見表示部１０５０（を含む電子カルテ表示画面１０００）は、この発明の「所見入力画面」の一例である。
【００９０】
なお、文字所見入力ボタン１０７２がクリックされたときに文字所見入力画面を別途に表示させ（図示せず）、この文字所見入力画面に文字所見を入力するようにしてもよい。入力された文字所見は、所見情報処理部１１２によって文字所見表示部１０５０に表示される。このような文字所見入力画面は、この発明の「所見入力画面」の一例である。
【００９１】
検査情報表示部１０６０には、視力検査や眼圧検査の検査結果などの検査情報が表示される。検査情報は、検査装置で取得された情報が自動的に入力されたものであってもよいし、医師等が手入力したものであってもよい。
【００９２】
オーダ入力ボタン１０８０がクリックされると、主制御部１１１は、オーダ情報入力画面３０００（図７参照）を表示部１４に表示させる。オーダ情報入力画面３０００は、検査、撮影、処方、処置等の診療行為のオーダを入力するための画面であり、また、オペレータがオーダ情報を閲覧するための画面である。オーダ情報入力画面３０００には、コスト情報を入力するための画像領域が設けられている。この画像領域（を含むオーダ情報入力画面３０００）は、この発明の「コスト情報入力画面」の一例であり、更には「所見関連情報入力画面」の一例である。
【００９３】
診療予定入力ボタン１０９０がクリックされると、主制御部１１１は、診療予定画面５０００（図１１参照）を表示部１４に表示させる。診療予定画面５０００は、診療予定情報を入力するための画面であり、また、オペレータが診療予定を閲覧するための画面である。診療予定画面５０００は、この発明の「診療予定情報入力画面」の一例であり、更には「所見関連情報入力画面」の一例である。
【００９４】
医師情報表示部１１００には、この患者の担当医の識別情報や、カルテ情報の記入者の識別情報が表示される。これらの識別情報としては、医師の氏名や医師ＩＤなどが用いられる。
【００９５】
操作ボタン部１２００には、複数の操作ボタンが配設されている。オペレータは、これらの操作ボタンを操作することにより、他の画面を表示させたり、データの取り込みを実行させたり、電子カルテの編集作業を終了させたりできる。
【００９６】
操作ボタン部１２００には、サマリ情報入力ボタン１２１０が設けられている。サマリ入力情報ボタン１２１０がクリックされると、主制御部１１１は、サマリ情報画面４０００（図９参照）を表示部１４に表示させる。サマリ情報画面４０００は、サマリ情報を入力するための画面であり、また、オペレータがサマリ情報を閲覧するための画面である。サマリ情報画面４０００は、この発明の「サマリ情報入力画面」の一例であり、更には「所見関連情報入力画面」の一例である。以上で、電子カルテ表示画面１０００についての説明を終了し、動作態様の説明に戻る。
【００９７】
オペレータが操作部１３を操作してシェーマ図入力ボタン１０７１をクリックすると、主制御部１１１は、図６に示すシェーマ図入力画面２０００を表示部１４に表示させる（Ｓ２）。更に、主制御部１１１は、図７に示すオーダ情報入力画面３０００を表示部１４に表示させる（Ｓ３）。なお、シェーマ図入力画面２０００が表示されたことに対応してオーダ情報入力画面３０００を自動的に表示させてもよいし、オーダ入力ボタン１０８０を別途に操作して表示させてもよい。
【００９８】
シェーマ図入力画面２０００は、入力作業部２０１０、所見入力部２０２０、所見入力ボタン部２０２１、所見呈示部２０３０、テンプレート選択部２０４０、操作ボタン部２０５０、２０６０、及び、ＯＫボタン２０７０を含んで構成される。
【００９９】
シェーマ図入力画面２０００について説明する。入力作業部２０１０は、シェーマ図の入力作業を行うための画面領域である。シェーマ図の入力作業においては、まず、テンプレート選択部２０４０に呈示された各種のテンプレート画像のうちから、オペレータが所望のものを選択する。この選択操作は、たとえば操作部１３（マウス１０７）により所望のテンプレート画像をクリックすることで行う。主制御部１１１は、選択されたテンプレート画像を入力作業部２０１０に表示させる。なお、カルテ情報に含まれる傷病名や過去に使用されたテンプレート画像の履歴などを基にテンプレート画像を自動的に選択して表示させるようにしてもよい。この処理は、所見情報処理部１１２が行う。なお、シェーマ図のテンプレート画像は、下絵記憶部１２３に記憶されている。
【０１００】
続いて、オペレータは、たとえば別途に表示された撮影画像を観察するなどして患部の状態等を把握し、操作ボタン部２０５０、２０６０等を操作することにより、把握結果を表す文字列や画像をテンプレート画像上に入力する。また、操作部１３（マウス１０７等）を操作して画像を描画することもできる。入力作業部２０１０に入力される情報には、前述した所見の入力事項が含まれていることがある。入力作業部２０１０に入力された文字列情報は、所見呈示部２０３０に呈示される。
【０１０１】
所見入力部２０２０は、所見におけるコメント等が入力される画面領域である。図６では、コメントとして“グラアタック”と入力されている。所見入力部２０２０への入力作業は、操作部１３により所見入力ボタン部２０２１を操作したり、操作部１３（たとえばキーボード１０６）により文字列を入力したりして行う。所見入力部２０２０に入力された情報には、前述した所見の入力事項が含まれていることがある。たとえば文字列情報“グラアタック”は、図２の対応情報１２０に示すように所見の入力事項である。
【０１０２】
入力作業部２０１０や所見入力部２０２０に対する情報入力が終了したら、オペレータは、操作部１３（マウス１０７）によりＯＫボタン２０７０をクリックする。所見情報処理部１１２は、入力された情報を所見情報として登録する。また、主制御部１１１は、ＯＫボタン２０７０がクリックされたことに対応し、シェーマ図入力画面２０００の表示を終了させる。以上で、シェーマ図入力画面２０００の説明を終了する。
【０１０３】
オーダ情報入力画面３０００について説明する。オーダ情報入力画面３０００は、傷病名入力部３０１０、診療行為入力ボタン部３０２０、診療行為入力部３０３０及び投薬情報入力部４０３０を含んで構成される。
【０１０４】
傷病名入力部３０１０は、傷病名を入力したり閲覧したりするための画面領域である。診療行為入力ボタン部３０２０には、各種の診療行為（検査、撮影、処置等）のオーダを入力するためのボタンが設けられている。オペレータは、操作部１３（マウス１０７）により所望の診療行為のボタンをクリックする。所見関連情報処理部１１３は、クリックされたボタンに対応する診療行為を表す情報を診療行為入力部３０３０のリスト（後述）に追加する。
【０１０５】
診療行為入力部３０３０は、診療行為に関する情報（コスト情報）を入力したり閲覧したりするための画面領域である。その診療行為リスト呈示部３０３１には、検査、撮影、処置、処置薬剤等の診療行為のリストが呈示される。このリストに含まれる診療行為は、コスト情報に相当し、診療行為入力ボタン部３０２０や操作ボタン部３０３２を操作することで入力できる。
【０１０６】
投薬情報入力部３０４０は、薬剤の投与に関する情報を入力したり閲覧したりするための画面領域である。ＯＫボタン３０５０は、オーダ情報入力画面３０００を用いた作業を終了するときに操作される。以上で、オーダ情報入力画面３０００の説明を終了し、動作態様の説明に戻る。
【０１０７】
なお、シェーマ図入力画面２０００の所見入力部２０２０には、コメント等の所見情報は未だ入力されていないものとする。オペレータが所見入力部２０２０に所見情報を入力すると（Ｓ４）、情報特定部１１４は、入力された所見情報に対応する入力事項を対応情報１２０の所見欄から探索する（Ｓ５）。
【０１０８】
所見の入力事項が探索された場合（Ｓ６；Ｙ）、情報特定部１１４は、対応情報１２０を参照し、探索された入力事項に対応するコスト欄の入力事項を特定する（Ｓ７）。
【０１０９】
コスト欄の入力事項が特定された場合（Ｓ８；Ｙ）、主制御部１１１は、特定された入力事項を、オーダ情報入力画面３０００の診療行為リスト呈示部３０３１に表示させる（Ｓ９）。それにより、オーダ情報入力画面３０００にコスト情報が自動入力される。所見関連情報処理部１１３は、この入力事項をコスト情報として管理する。
【０１１０】
なお、ステップ９において、特定された入力事項をリストへの追加事項の候補として表示させてもよい。この場合、所見関連情報処理部１１３は、所定の確定操作がなされたときにコスト情報として確定してオーダ情報入力画面３０００に入力するようにしてもよい。候補としてリスト中に表示する場合には、リスト中の他の記載事項と異なる表示態様（たとえば異なる表示色）で表示させることが望ましい。また、ダイアログボックス等に候補を表示させることもできる。また、確定操作としては、候補をダブルクリックするなどの方法がある。
【０１１１】
上記の処理の一例として、ステップ４で“グラアタック”と入力された場合、ステップ７、８においてコスト情報の入力事項“点滴”が特定され、更に、ステップ９において図７に示すようにコスト情報“点滴”が診療行為リスト呈示部３０３１に表示されることになる。
【０１１２】
一方、コスト欄の入力事項が特定されなかった場合（Ｓ８；Ｎ）、つまり、入力された所見情報に対応するコスト情報が対応情報１２０に記録されていない場合、オペレータは、操作部１３を操作し、診療行為リスト呈示部３０３１にコスト情報を手入力する（Ｓ１０）。
【０１１３】
また、ステップ４で入力された所見情報に対応する所見の入力事項が探索されない場合（Ｓ６；Ｎ）にも、オペレータは、診療行為リスト呈示部３０３１にコスト情報を手入力する（Ｓ１０）。以上で、この動作態様の処理は終了となる。
【０１１４】
〔第２の動作態様〕
図８に示すフローチャートは、診療支援システム１の第２の動作態様の一例を表している。また、図９は、第２の動作態様において表示される画面の一例を表している。
【０１１５】
まず、第１の動作態様と同様に、電子カルテ表示画面１０００を表示させ（Ｓ２１）、更に、シェーマ図入力画面２０００を表示させる（Ｓ２２）。更に、主制御部１１１は、図９に示すサマリ情報画面４０００を表示させる（Ｓ２３）。なお、シェーマ図入力画面２０００が表示されたことに対応してサマリ情報画面４０００を自動的に表示させてもよいし、サマリ情報入力ボタン１２１０を別途に操作して表示させてもよい。
【０１１６】
サマリ情報画面４０００について説明する。サマリ情報画面４０００は、サマリ呈示部４０１０とサマリ保存ボタン４０２０を含んで構成される。サマリ呈示部４０１０には、サマリ情報がたとえば時系列の順序で呈示される。サマリ保存ボタン４０２０は、呈示されているサマリ情報を保存するためにクリックされる。
【０１１７】
なお、この段階では、サマリ呈示部４０１０の最下段のサマリ情報“Ｈ１９．３．１  Ｌ）グラアタック”は未だ呈示されていないものとする。
【０１１８】
オペレータが所見入力部２０２０に所見情報を入力すると（Ｓ２４）、情報特定部１１４は、入力された所見情報に対応する入力事項を対応情報１２０の所見欄から探索する（Ｓ２５）。所見の入力事項が探索されない場合（Ｓ２６；Ｎ）、この動作態様の処理は終了となる。
【０１１９】
所見の入力事項が探索された場合（Ｓ２６；Ｙ）、情報特定部１１４は、対応情報１２０のサマリフラグ欄を参照し、探索された入力事項がサマリへの入力対象であるか否か判定する（Ｓ２７）。サマリへの入力対象でないと判定された場合（Ｓ２８；Ｎ）、この動作態様の処理は終了となる。
【０１２０】
サマリへの入力対象であると判定された場合（Ｓ２８；Ｙ）、主制御部１１１は、この所見の入力事項をサマリ呈示部４０１０に表示させる（Ｓ２９）。それにより、サマリ情報画面４０００にコスト情報が自動入力される。所見関連情報処理部１１３は、この入力事項をサマリ情報として管理する。
【０１２１】
なお、第１の動作態様と同様に、ステップ２９において、所見の入力事項をサマリへの追加事項の候補として表示させてもよい。この場合、所見関連情報処理部１１３は、所定の確定操作がなされたときにサマリ情報として確定してサマリ情報画面４０００に入力するようにしてもよい。
【０１２２】
上記の処理の一例として、ステップ２４で“グラアタック”と入力された場合、ステップ２７、２８においてサマリへの入力対象であると判定され、更に、ステップ２９において、図９に示すようにサマリ情報“Ｈ１９．３．１  Ｌ）グラアタック”がサマリ呈示部４０１０に追加される。なお、このサマリ情報の“Ｈ１９．３．１”は当該診療日の日付を表す。また、このサマリ情報の“Ｌ”は左眼を意味する。これらの情報は、たとえばカルテ情報から取得される。以上で、この動作態様の処理は終了となる。
【０１２３】
〔第３の動作態様〕
図１０に示すフローチャートは、診療支援システム１の第３の動作態様の一例を表している。また、図１１は、第３の動作態様において表示される画面の一例を表している。
【０１２４】
まず、第１の動作態様と同様に、電子カルテ表示画面１０００を表示させ（Ｓ４１）、更に、シェーマ図入力画面２０００を表示させる（Ｓ４２）。更に、主制御部１１１は、図１１に示す診療予定画面５０００を表示させる（Ｓ４３）。なお、シェーマ図入力画面２０００が表示されたことに対応して診療予定画面５０００を自動的に表示させてもよいし、診療予定入力ボタン１０９０を別途に操作して表示させてもよい。
【０１２５】
診療予定画面５０００について説明する。診療予定画面５０００は、予定一覧呈示部５０１０と予定候補呈示部５０２０を含んで構成される。予定一覧呈示部５０１０には、今後の予定の一覧情報がたとえば時系列の順序で呈示される。予定候補呈示部５０２０には、この一覧情報への追加候補の診療行為に関する情報が呈示される。
【０１２６】
なお、この段階では、予定候補呈示部５０２０には、診療予定情報は未だ呈示されていないものとする。
【０１２７】
オペレータが所見入力部２０２０に所見情報を入力すると（Ｓ４４）、情報特定部１１４は、入力された所見情報に対応する入力事項を対応情報１２０の所見欄から探索する（Ｓ４５）。所見の入力事項が探索されない場合（Ｓ４６；Ｎ）、オペレータは、次回の予定を適宜に手入力する（Ｓ５０）。
【０１２８】
所見の入力事項が探索された場合（Ｓ４６；Ｙ）、情報特定部１１４は、対応情報１２０の次回予定欄を参照し、探索された入力事項に対応付けられた次回予定の入力事項を特定する（Ｓ４７）。次回予定の入力事項が特定されない場合（Ｓ４８；Ｎ）、オペレータは、次回の予定を適宜に手入力する（Ｓ５０）。
【０１２９】
次回予定の入力事項が特定された場合（Ｓ４８；Ｙ）、主制御部１１１は、特定された入力事項を予定候補呈示部５０２０に表示させる（Ｓ４９）。それにより、診療予定画面５０００に診療予定情報が自動入力される。このとき、自動入力される診療予定情報は、特定された入力事項だけでなく、部位（たとえば右眼／左眼）や医師名などを含んでいてもよい。これらの情報は、たとえばカルテ情報から取得できる。所見関連情報処理部１１３は、このようにして入力された情報を診療予定情報として管理する。
【０１３０】
オペレータは、予定候補呈示部５０２０に呈示された診療予定情報をたとえばダブルクリックして、今後の予定として確定する。それを受けて、所見関連情報処理部１１３は、この診療予定情報を今後の予定一覧に追加登録する。また、主制御部１１１は、この診療予定情報を予定一覧呈示部５０１０に呈示させる。
【０１３１】
上記の処理の一例として、ステップ４４で“黄斑変性”と入力された場合、ステップ４７、４８において“視野”が特定され、更に、ステップ４９において、図１１に示すように診療予定情報“視野  Ｌ  トプコン医師１”が予定候補呈示部５０２０に呈示される。以上で、この動作態様の処理は終了となる。
【０１３２】
［作用・効果］
以上のような診療支援システム１の作用及び効果を説明する。
【０１３３】
まず、診療支援システム１は、次のように作用する。まず、表示部１４は、所見入力画面と所見関連情報入力画面を表示する。所見入力画面としては、シェーマ図入力画面２０００がある。また、所見関連情報入力画面としては、オーダ情報入力画面３０００、サマリ情報画面４０００及び診療予定画面５０００がある。記憶部１２は、所見の入力事項と所見関連情報の入力事項とを対応付ける対応情報１２０を記憶している。オペレータが所見入力画面に所見を入力すると、制御部１１は、この所見の入力事項に対応する所見関連情報の入力事項を対応情報１２０に基づいて特定し、特定された入力事項を表示部１４に表示させる。
【０１３４】
このように作用する診療支援システム１によれば、入力された所見に対応する所見関連情報が自動的に入力されるので、所見に関わる情報の入力作業の効率化を図ることができる。なお、所見に関わる情報とは、所見情報自体及び所見関連情報を含むものとする。また、対応情報１２０が所見情報と所見関連情報とを対応付けているので、所見に関わる情報の入力ミスの防止を図ることが可能である。
【０１３５】
また、動作態様で説明したように、対応情報１２０を基に特定した入力事項を所見関連情報の候補として一旦表示し、その入力事項に対して所定の確定操作がなされたときに、その入力事項を所見関連情報として確定して所見関連情報入力画面に入力するように構成することができる。このような構成とすれば、オペレータは、一旦表示された候補を確認し、適正であれば所見関連情報として確定することができる。それにより、たとえば、患者が合併症を患っている場合や、他の診療行為との組合せ、体質等の理由から禁忌な診療行為がある場合などにおける入力ミスの防止を図ることができる。
【０１３６】
なお、このように所見関連情報を二段階の処理で入力する構成は、所見欄の一つの入力事項に対し、他欄の複数の入力事項が対応付けられている場合に応用できる。たとえば、図２の対応情報１２０では、所見欄の入力事項「眼圧上昇」に対し、コスト欄の入力事項「β遮断薬」と「交感神経刺激薬」とが対応付けられている。シェーマ図入力画面２０００に“眼圧上昇”と入力された場合、制御部１１は、オーダ情報入力画面３０００に“β遮断薬”と“交感神経刺激剤”の双方の入力事項を表示させる。オペレータは、これらのうちの一方（又は双方）をダブルクリックして指定する。制御部１１は、指定された入力事項のみをコスト情報として確定する。このような動作態様によれば、所見の入力事項に所見関連情報の複数の入力事項が対応する場合であっても、所見関連情報を容易に選択できるとともに、入力ミスの防止を図ることもできる。
【０１３７】
また、上記の実施形態では、所見入力画面と所見関連情報入力画面とを同時に表示させるようになっている。このとき、これら２つの画面は、互いに重ならないように表示させることもできるし、少なくとも一部が重畳した状態で表示させることもできる。この発明では、双方の表示態様をまとめて「並べて表示する」と表現することにする。このように所見入力画面と所見関連情報入力画面とを並べて表示させることにより、オペレータは、双方の画面の表示内容を容易に把握することができるというメリットがある。
【０１３８】
なお、双方の画面を並べて表示させないことも可能である。たとえば、所見入力画面のみを表示させ、所見情報が入力されたときに、この入力事項に対応する所見関連情報の入力事項を（表示させずに）所見関連情報として記憶するように構成してもよい。なお、この処理は制御部１１が行い、所見関連情報は記憶部１２に記憶される。このとき、制御部１１は、この新たな所見関連情報を過去の所見関連情報に追加して所見関連情報のデータベースを更新する。このような構成とすれば、所見を入力するだけで、対応する所見関連情報のデータベースを自動更新できるので、入力作業の効率化及び入力ミスの防止を図ることができる。
【０１３９】
［変形例］
以上において詳述した実施形態は、この発明を実施するための一例に過ぎない。よって、この発明の要旨の範囲内における任意の変形を適宜に施すことが可能である。以下、このような変形について説明する。
【０１４０】
〔第１の変形例〕
所見の入力事項のリストを表示させることにより、所見入力画面に所見を入力する作業の効率化を図ることができる。オペレータが所望の入力事項をリストから選択すると、制御部１１は、選択された入力事項を所見入力画面に入力する。なお、入力事項の選択は、たとえばダブルクリックによって行う。また、所見入力画面内にリストを表示させてもよいし、他の画面（ダイアログボックス等）にリストを表示させてもよい。
【０１４１】
このとき、たとえばシェーマ図のテンプレート画像の選択結果に応じて異なるリストを表示させることができる。一例として、診療部位が眼底である場合の所見の入力事項のリスト（眼底所見リスト）と、診断部位が前眼部である場合の所見の入力事項のリスト（前眼部所見リスト）とを予め記憶部１２に記憶しておく。また、下絵記憶部１２３には、眼底のテンプレート画像と前眼部のテンプレート画像が予め記憶されているものとする。テンプレート画像と所見リストは、テーブル情報や識別情報等の関連情報により予め関連付けられている。
【０１４２】
オペレータが眼底のテンプレート画像を選択すると、制御部１１は、上記の関連情報に基づいて眼底所見リストを表示部１４に表示させる。一方、オペレータが前眼部のテンプレート画像を選択すると、制御部１１は、上記の関連情報に基づいて前眼部所見リストを表示部１４に表示させる。
【０１４３】
別の例として、カルテ情報等に記録された傷病名に応じて異なるリストを表示させることもできる。もちろん、その他の選択肢に応じて異なるリストを表示させることも可能である。
【０１４４】
このように構成することで、診断対象に合致した所見の入力事項のリストを表示させて所見を入力できるので、所見の入力作業の効率化を図ることができ、また入力ミスの低減を図ることもできる。
【０１４５】
〔第２の変形例〕
図７に示すオーダ情報入力画面３０００には、傷病名を入力するための傷病名入力部３０１０が設けられている。従来は、傷病名についてもオペレータが手入力していた。この変形例では、傷病名を自動入力することにより、入力作業の効率化や入力ミスの防止を図る構成を説明する。
【０１４６】
ここで、所見関連情報には、傷病名が含まれるものとする。また、対応情報は、所見の入力事項と傷病名とを対応付けるものとする。具体例としては、所見の入力事項“グラアタック”や“黄斑変性”に対して、傷病名“緑内障”を対応付けることができる。
【０１４７】
オペレータがシェーマ図入力画面２０００に所見を入力すると、制御部１１は、入力された所見の入力情報に対応する傷病名を対応情報によって特定する。更に、制御部１１は、特定された傷病名を表示部１４に表示させる。このとき、傷病名の候補として表示させ、所定の確定操作によって確定されてから、傷病名入力部３０１０に自動入力するように構成できる。
【０１４８】
〔第３の変形例〕
上記の実施形態では、入力された所見の内容に対応する所見関連情報を自動入力する構成を説明した。一方、対応情報は、所見の入力事項と所見関連情報の入力事項とを対応付けるものであるから、上記の実施形態とは逆に、所見関連情報が入力されたときに、その入力内容に対応する所見の入力事項を特定することも可能である。この処理は、制御部１１（情報特定部１１４）が実行する。
【０１４９】
この変形例においても、所見関連情報の一つの入力事項に対して所見の複数の入力事項が対応付けられている場合には、所見の入力事項の選択肢を表示させ、選択された入力事項を所見情報として入力するように構成できる。
【０１５０】
たとえば図２の対応情報１２０において、コスト欄の「人工涙液点眼薬」には、所見欄の「点眼薬」と「角膜障害」とが対応付けられている。また、次回予定欄の「精密細隙灯検査」には、所見欄の「点眼薬」と「角膜障害」とが対応付けられている。オーダ情報入力画面３０００に“人工涙液点眼薬”と入力された場合、制御部１１は、所見の入力事項の選択肢「点眼薬」と「角膜障害」とを表示部１４に表示させる。オペレータが一方（又は双方）を指定すると、指定された入力事項がシェーマ図入力画面２０００に自動的に入力される。
【０１５１】
このように上記の実施形態と逆の処理を行う場合においても、双方の画面を並べて表示させずに処理を行うことができる。たとえば、所見関連情報入力画面のみを表示させ、所見関連情報が入力されたときに、この入力事項に対応する所見の入力事項を（表示させずに）所見情報として記憶するように構成することが可能である。この処理は制御部１１が行い、所見情報は記憶部１２に記憶される。このとき、制御部１１は、この新たな所見情報を過去の所見情報に追加して所見情報のデータベースを更新する。このような構成とすれば、所見関連情報を入力するだけで、対応する所見情報のデータベースを自動更新できるので、入力作業の効率化及び入力ミスの防止を図ることができる。
【０１５２】
〔その他の変形例〕
対応情報の所見欄の入力事項に、病気の状態（病気の重さ）を反映させてもよい。たとえば、同じ病気であっても、処方する薬剤が異なったり、検査が異なったりする場合があるが、これらの場合などには、病気の状態に応じて対応情報を作成することが可能である。
【０１５３】
所見の入力事項の組合せに応じて、対応付けられる他の欄の入力事項を変更するように構成できる。たとえば、所見欄の入力事項として禁忌な薬剤名を設け、所見にこの薬剤名が入力された場合には、この薬剤名をコスト情報や診療予定情報として採用しないように構成することが可能である。
【０１５４】
シェーマ図入力画面２０００にて実施されたシェーマ図のテンプレート画像の選択結果に応じて、傷病名或いは傷病名のリストを特定することができる。たとえば、眼底のテンプレート画像が選択されたときには、眼底を診療部位とする傷病名を特定することができ、前眼部のテンプレート画像が選択されたときには、前眼部を診療部位とする傷病名を特定することができる。更に、このようにして特定された傷病名（又はリストからの選択結果）を、オーダ情報入力画面３０００に自動的に入力することができる。
【０１５５】
［プログラムについて］
この発明に係るプログラムは、上記の実施形態及び変形例にて説明した処理をコンピュータに実行させるものである。図３に示すプログラム１０４ａは、前述のように、この発明の「プログラム」の一例である。
【０１５６】
このようなプログラムによれば、上記の実施形態及び変形例で説明したように、所見に関する情報の入力作業を効率化することができ、また、入力ミスの防止を図ることができる。
【０１５７】
このようなプログラムは、コンピュータのドライブ装置によって読み取り可能な任意の記憶媒体に記憶させることができる。たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などの記憶媒体を用いることが可能である。また、ハードディスクドライブやメモリ等の記憶装置に記憶させることも可能である。更に、インターネットやＬＡＮ等のネットワークを通じてこのプログラムを送受信することも可能である。
【図面の簡単な説明】
【０１５８】
【図１】この発明に係る診療支援システムの実施の形態の全体構成の一例を表す概略ブロック図である。
【図２】この発明に係る診療支援システムの実施の形態における対応情報の一例を表す概略図である。
【図３】この発明に係る診療支援システムの実施の形態のハードウェア構成の一例を表す概略ブロック図である。
【図４】この発明に係る診療支援システムの実施の形態の動作の一例を表すフローチャートである。
【図５】この発明に係る診療支援システムの実施の形態による表示画面の構成の一例を表す概略図である。
【図６】この発明に係る診療支援システムの実施の形態による表示画面の構成の一例を表す概略図である。
【図７】この発明に係る診療支援システムの実施の形態による表示画面の構成の一例を表す概略図である。
【図８】この発明に係る診療支援システムの実施の形態の動作の一例を表すフローチャートである。
【図９】この発明に係る診療支援システムの実施の形態による表示画面の構成の一例を表す概略図である。
【図１０】この発明に係る診療支援システムの実施の形態の動作の一例を表すフローチャートである。
【図１１】この発明に係る診療支援システムの実施の形態による表示画面の構成の一例を表す概略図である。
【符号の説明】
【０１５９】
１  診療支援システム
１１  制御部
１１１  主制御部
１１２  所見情報処理部
１１３  所見関連情報処理部
１１４  情報特定部
１２  記憶部
１２０  対応情報
１２１  カルテ情報記憶部
１２２  対応情報記憶部
１２３  下絵記憶部
１３  操作部
１４  表示部
１００  コンピュータ
２００  データベース
１０００  電子カルテ表示画面
２０００  シェーマ図入力画面
３０００  オーダ情報入力画面
４０００  サマリ情報画面
５０００  診療予定画面
【図１】
2008250543.tif 000003
【図２】
2008250543.tif 000004
【図３】
2008250543.tif 000005
【図４】
2008250543.tif 000006
【図５】
2008250543.tif 000007
【図６】
2008250543.tif 000008
【図７】
2008250543.tif 000009
【図８】
2008250543.tif 000010
【図９】
2008250543.tif 000011
【図１０】
2008250543.tif 000012
【図１１】
2008250543.tif 000013